(57)【特許請求の範囲】
【請求項１】
内部を貫通して一端部が先端面に開口し、他端部が基端側の外面に開口する収納孔が形成されたスプレー本体と、このスプレー本体の先端部に設けられ、内部が上記収納孔に連通した管状をなす挿入部と、この挿入部の先端部に設けられたノズル取付部と、カートリッジとを備え、上記カートリッジが、外面に開口する二つの接着剤供給口を有し、かつ上記スプレー本体の基端側に着脱自在に取り付けられるカートリッジ本体と、二つのノズル孔を有し、上記本体の収納孔および上記挿入部の内部に挿脱可能に挿通されて、上記ノズル取付部に着脱自在に取り付けられるノズル部と、基端部が上記カートリッジ本体の二つの接着剤供給口にそれぞれ接続され、先端部が上記スプレー本体の収納孔および上記挿入部の内部に挿脱可能に挿通されて、上記ノズル部の二つのノズル孔にそれぞれ接続された二つの接着剤供給管を有することを特徴とする生体接着剤用スプレー。
【請求項２】
上記スプレー本体には、加圧ガスを収納孔内に導入する加圧ガス供給口を設け、上記ノズル部には、上記ノズル孔の近傍に開口する噴射孔を形成し、上記加圧ガス供給孔と上記噴射孔とを上記収納孔および上記挿入部の内部を介して連通させたことを特徴とする請求項１に記載の生体接着剤用スプレー。
【請求項３】
上記スプレー本体の収納孔および上記挿入部の内部には、一端が上記収納孔内に開口し、他端部が上記ノズル取付部に連結され、上記加圧ガス供給口から上記収納孔内に導入された加圧ガスを上記噴射孔に導く導通管を配置したことを特徴とする請求項２に記載の生体接着剤用スプレー。
【請求項４】
上記導通管内に上記二つの接着剤供給管を挿脱自在に挿通したことを特徴とする請求項３に記載の生体接着剤用スプレー。
【請求項５】
上記挿入部の先端部に湾曲可能な湾曲部を設け、上記スプレー本体に、上記収納孔および上記挿入部の内部に挿通された操作ワイヤを介して上記湾曲部を湾曲操作する操作部を設け、上記接着剤供給管の少なくとも上記湾曲部に挿通される部分を湾曲可能に形成したことを特徴とする請求項１または２に記載の生体接着剤用スプレー。
【請求項６】
上記挿入部の先端部に湾曲可能な湾曲部を設け、上記スプレー本体に、上記収納孔および上記挿入部の内部に挿通された操作ワイヤを介して上記湾曲部を湾曲操作する操作部を設け、上記接着剤供給管および上記導通管の少なくとも上記湾曲部に挿通される部分を湾曲可能に形成したことを特徴とする請求項３または４に記載の生体接着剤用スプレー。
【請求項７】
上記二つの接着剤供給管の少なくとも中間側の大部分を柔軟な樹脂からなる樹脂管部とし、この二つの樹脂管部を互いに沿わせるとともに、それらより剛性が高く、かつ湾曲可能な補強材を二つの接着剤供給管のうちの少なくとも樹脂管部に沿って配置したことを特徴とする請求項１〜６のいずれかに記載の生体接着剤用スプレー。
【請求項８】
上記二つの樹脂管部および補強材をその外側に柔軟な樹脂からなる外被を設けることによって互いに一体化したことを特徴とする請求項７に記載の生体接着剤用スプレー。
【発明の詳細な説明】
【０００１】
【産業上の利用分野】
この発明は、生体の傷口または切開部等に二液混合タイプの接着剤を吹き付けるための生体接着剤用スプレーに関する。
【０００２】
【従来の技術】
一般に、この種の生体接着剤用スプレーは、スプレー本体と、このスプレー本体の先端部から延び出す挿入部と、この挿入部の先端部に設けられたノズル部とを備えており、スプレー本体には、接着剤を供給する二つの接着剤供給口が設けられるとともに、窒素ガス等の不活性加圧ガスを供給するガス供給口が設けられている。また、ノズル部には、二つのノズル孔が形成されるとともに、これらのノズル孔に近接した箇所に噴射孔が形成されている。二つの接着剤供給口とノズル孔とは、接着剤供給管を介して連結されている。一方、ガス供給口と噴射孔とは、スプレー本体および挿入部の内部を介して連結されている。
【０００３】
上記構成のスプレーにより、接着剤を生体の所望の箇所に吹き付ける場合には、各接着剤供給口に接着剤を供給するとともに、ガス供給口に加圧ガスを供給する。すると、各ノズル孔から吐出された二種類の接着剤が、噴射孔から噴出した加圧ガスによって微粒化されるとともに、混合される。そして、生体の所望の箇所に吹き付けられる。
【０００４】
【発明が解決しようとする課題】
上記のスプレーを長期間使用すると、接着剤が吐出されるノズル孔の外側の開口部近傍に接着剤が付着堆積して固化する。そして、この接着剤によってノズル孔が徐々に塞がれてしまい、次第に接着剤の吐出量が減少し、最悪の場合には吐出することができなくなる。このような場合、従来のスプレーでは全体を廃棄していたので、無駄が多く、費用が嵩むという問題があった。
【０００５】
【課題を解決するための手段】
上記の問題を解決するために、請求項１に係る発明は、内部を貫通して一端部が先端面に開口し、他端部が基端側の外面に開口する収納孔が形成されたスプレー本体と、このスプレー本体の先端部に設けられ、内部が上記収納孔に連通した管状をなす挿入部と、この挿入部の先端部に設けられたノズル取付部と、カートリッジとを備え、上記カートリッジが、外面に開口する二つの接着剤供給口を有し、かつ上記スプレー本体の基端側に着脱自在に取り付けられるカートリッジ本体と、二つのノズル孔を有し、上記本体の収納孔および上記挿入部の内部に挿脱可能に挿通されて、上記ノズル取付部に着脱自在に取り付けられるノズル部と、基端部が上記カートリッジ本体の二つの接着剤供給口にそれぞれ接続され、先端部が上記スプレー本体の収納孔および上記挿入部の内部に挿脱可能に挿通されて、上記ノズル部の二つのノズル孔にそれぞれ接続された二つの接着剤供給管を有することを特徴としている。
この場合、後述する理由により、上記スプレー本体には、加圧ガスを収納孔内に導入する加圧ガス供給口を設け、上記ノズル部には、上記ノズル孔の近傍に開口する噴射孔を形成し、上記加圧ガス供給孔と上記噴射孔とを上記収納孔および上記挿入部の内部を介して連通させることが望ましい。
上記スプレー本体の収納孔および上記挿入部の内部には、一端が上記収納孔内に開口し、他端部が上記ノズル取付部に連結され、上記加圧ガス供給口から上記収納孔内に導入された加圧ガスを上記噴射孔に導く導通管を配置するのが望ましい。
上記導通管内には、上記二つの接着剤供給管を挿脱自在に挿通するのが望ましい。
上記挿入部の先端部に湾曲可能な湾曲部を設け、上記スプレー本体に、上記収納孔および上記挿入部の内部に挿通された操作ワイヤを介して上記湾曲部を湾曲操作する操作部を設け、上記接着剤供給管の少なくとも上記湾曲部に挿通される部分を湾曲可能に形成するのが望ましい。
上記挿入部の先端部に湾曲可能な湾曲部を設け、上記スプレー本体に、上記収納孔および上記挿入部の内部に挿通された操作ワイヤを介して上記湾曲部を湾曲操作する操作部を設け、上記接着剤供給管および上記導通管の少なくとも上記湾曲部に挿通される部分を湾曲可能に形成するのが望ましい。
上記二つの接着剤供給管の少なくとも中間側の大部分を柔軟な樹脂からなる樹脂管部とし、この二つの樹脂管部を互いに沿わせるとともに、それらより剛性が高く、かつ湾曲可能な補強材を二つの接着剤供給管のうちの少なくとも樹脂管部に沿って配置するのが望ましい。
上記二つの樹脂管部および補強材をその外側に柔軟な樹脂からなる外被を設けることによって互いに一体化するのが望ましい。
【０００６】
【作用】
請求項１に係る発明において、カートリッジを取り外す場合には、カートリッジ本体をスプレー本体の先端側から基端側へ向かって引っ張る。これによって、二つの接着剤供給管およびノズル部を挿入部およびスプレー本体から抜き出すことができる。この場合、カートリッジ本体を引っ張る前に、カートリッジ本体をスプレー本体から予め取り外しておくとともに、ノズル部を取付部から予め取り外ししておいてもよく、あるいはカートリッジ本体を引っ張ることによって、カートリッジ本体をスプレー本体から取り外し、さらにノズル部を取付部から取り外すようにしてもよい。これは、スプレー本体に対するカートリッジ本体の取付態様および取付部に対するノズル部の取付態様によって決まる。
新たなカートリッジを取り付ける場合には、ノズル部および接着剤供給管をスプレー本体の収納孔に挿入し、さらに挿入部に挿通する。そして、ノズル部を取付部に取り付けるとともに、カートリッジ本体をスプレー本体に取り付ける。
このような作用は、請求項１〜８に係る発明においても同様である。
【０００７】
【実施例】
以下、この発明の一実施例について図１〜図１２を参照して説明する。
まず、図１に基づいてこの発明に係る生体接着剤用スプレー１の主要構成を説明すると、スプレー１はスプレー本体２、挿入部３、湾曲部４、ノズル取付部５およびカートリッジ６を有している。
【０００８】
スプレー本体２は、その内部に基端面から先端面まで貫通する収納孔２１が形成されることによって筒状をなしており、その先端部には挿入部３が取り付けられている。挿入部３は、管状をなしており、その内部が収納孔２１に連通させられている。また、挿入部は、剛性を有するものとして形成されているが、若干の可撓性を有するものとして形成してもよい。
【０００９】
挿入部３の先端部には、湾曲部４が設けられている。湾曲部４は、筒状をなしており、その内部が挿入部の内部に連通させられている。また、湾曲部４は、矢印Ａ，Ｂ方向へ湾曲可能であり、内視鏡における湾曲部と同様に、スプレー本体２の内部に設けられたプーリ７１を介して操作ワイヤ７２を進退移動させることにより、矢印Ａ，Ｂ方向へ回動操作されるようになっている。勿論、湾曲部４は、矢印Ａ，Ｂ方向と直交する方向へ湾曲させるようにすることも可能である。
【００１０】
湾曲部４の先端部には、ノズル取付部５が取り付けられている。ノズル取付部５は、後述するように、複数の部品から構成されており、全体として筒状をなしている。
【００１１】
上記スプレー本体２の収納孔２１の中央部内周面には、導通管１０の基端部が固定されている。この導通管１０の先端部は、スプレー本体２、挿入部３および湾曲部４を貫通し、取付部５の基端部に嵌合固定されている。導通管１０は、この場合、全体が可撓性を有する柔軟な樹脂によって形成されているが、湾曲部４に対応する部分だけを柔軟な樹脂によって形成し、他の部分は剛性を有するものとしてもよい。
【００１２】
上記スプレー本体２、挿入部３、湾曲部４およびノズル取付部５には、カートリッジ６が挿脱可能に挿通されている。カートリッジ６は、カートリッジ本体６１、一対の接着剤供給管６２，６２およびノズル部６３を有している。
【００１３】
カートリッジ本体６１は略筒状をなしており、その基端開口部には、取付板６４が固定されている。この取付板６４には、接着剤供給口６５ａを有する一対の口金６５，６５が固定されている。各口金６５の接着剤供給口６５ａには、接着剤供給管６２の基端部が接続されている。各接着剤供給管６２の先端部は、スプレー本体２の収納孔２１および導通管１０を挿脱自在に貫通して取付部５に達している。接着剤供給管６２は、全体が柔軟な樹脂によって形成されているが、少なくとも湾曲部４に対応した箇所、つまり湾曲部４内に挿通される箇所だけを柔軟な樹脂によって形成してもよい。
【００１４】
上記ノズル部６３は、上記ノズル取付部５に着脱自在に取り付けられている。しかも、ノズル部６３は、導通管１０および収納孔２１を通して収納孔２１の基端開口部から挿入、脱出することができるような寸法に設定されている。また、ノズル部６３には、その内部を貫通する一対のノズル孔６３ａ，６３ａが形成されている。各ノズル孔６３ａには、接着剤供給管６２の先端部がそれぞれ接続されている。
【００１５】
また、ノズル部６３には、ノズル孔６３ａ，６３ａの近傍にそれらに沿って延びる噴射孔６３ｃ（図６、図７参照）が形成されている。この噴射孔６３ｃは、ノズル取付部５の内部、導通管１０および収納孔２１を介し、上記スプレー本体２に設けられた口金１２の加圧ガス供給口１２ａに連通されている。
【００１６】
上記構成のスプレー１によって二液性接着剤を生体の内部の所望の箇所に吹き付ける場合には、スプレー本体１を持ってノズル取付部５および挿入部３を生体内に差し込む。そして、ノズル孔６３ａを所望の箇所に向ける。この場合、所望の箇所の手前に他の臓器等があるようなときには、湾曲部４を湾曲させることによって所望の箇所に向けることができる。また、湾曲部４の湾曲操作に際しては、接着剤供給管６２が湾曲部４内の他の部材によって傷付けられるのを導通管１０によって防止することができる。
【００１７】
次に、接着剤供給口６５ａ，６５ａからそれぞれ接着剤を供給するとともに、ガス供給孔１２ａから加圧ガスを供給する。供給された接着剤は、ノズル孔６３ａ，６３ａ（後述するように、実際には供給管６２，６２の先端開口部）から吐出される。そして、吐出された接着剤は噴射孔６３ｃから噴射された加圧ガスによって微粒化されるとともに、生体の所望の箇所に吹き付けられる。
【００１８】
スプレー１の長期間にわたる使用によってノズル孔６３ａが接着剤によって塞がれる等の理由により、カートリッジ６を交換する必要が生じた場合には、ノズル部６３をノズル取付部５から内側に向かって取り外すとともに、カートリッジ本体６１をスプレー本体２の先端側から基端側へ向かって移動させることにより、カートリッジ本体６１をスプレー本体２から取り外す。そして、カートリッジ本体６１を同方向へさらに移動させることにより、接着剤供給管６２，６２およびノズル部６３を導通管１０内を通して収納孔２１の基端開口部から引き抜く。この場合、接着剤供給管６２およびノズル部６３は、導通管１０を通って移動するので容易に引き抜くことができる。
【００１９】
新たなカートリッジ６を装着する場合には、ノズル部６３を先にして収納孔２１の基端開口部から挿入する。そして、ノズル部６３および接着剤供給管６２を導通管１０に挿通し、ノズル部６３をノズル取付部５まで挿通する。この場合も導通管１０がノズル部６３を案内するので挿通を容易に行うことができる。その後、ノズル部６３をノズル取付部５に取り付けるとともに、カートリッジ本体６１を収納孔２１に嵌合固定する。
【００２０】
次に、上記スプレー１のより詳細な構成を説明する。図２に示すように、スプレー本体２の中央部には、その壁部を貫通する操作軸７３が回動自在に支持されている。この操作軸７３のスプレー本体２から外部に突出した端部にはハンドル７４が取り付けられており、内側の端部には上記プーリ７１が取り付けられている。したがって、ハンドル７４を回動操作することによって、湾曲部４を湾曲操作することができる。これから明らかなように、ハンドル７４、操作軸７３、プーリ７１および操作ワイヤ７２によって操作部７が構成されている。
【００２１】
また、図１および図２に示すように、スプレー本体２の内部には、一対の支持筒７５が固定されており、各支持筒７５には金属製の薄い帯状の板を螺旋状に巻回してなる柔軟な螺旋管７６の一端部が固定されている。この螺旋管７６の他端部は、挿入部３の先端部または湾曲部４の基端部に固定されている。各螺旋管７６，７６には、上記操作ワイヤ７２が挿通されている。
【００２２】
上記導通管１０の外側には、金属製の薄い帯板を螺旋状に巻回してなる螺旋管１３が設けられており、この螺旋管１３によって導通管１０が保護されている。この場合、螺旋管１３は、スプレー本体２の内部にのみ設けられているが、導通管１０の全長にわたって設けてもよい。
【００２３】
図３に示すように、スプレー本体２の先端部には、補強筒２２が固定されており、この補強筒２２に挿入部３が嵌合固定されている。挿入部３は、図３および図４に示すように、金属製の大径筒３１と、硬質の樹脂からなる連結筒３２と、金属製の小径筒３３とから構成されている。大径筒３１の基端部は、補強筒２２に嵌合固定されており、大径筒３１の先端部には連結筒３２が嵌合固定されている。さらに、連結筒３２の先端部には小径筒３３が嵌合固定されている。
【００２４】
図４および図５に示すように、上記湾曲部４は、内視鏡における公知の湾曲部と同様に、多数の関節駒４１を有しており、各関節駒４１を互いに回動自在に連結することによって全体として湾曲可能になっている。各関節駒４１は、その外側に設けられた柔軟性を有する樹脂製の外被４２によって被覆されており、この外被４２の基端部が挿入部３の小径筒３３に嵌合固定されることにより、湾曲部４が挿入部３に連結されている。また、各関節駒４１の内側には、螺旋管４３が配置されており、螺旋管４３の内部に上記導通管１０が挿通されている。これによって、導通管１０が湾曲操作時に各関節駒４１または操作ワイヤ７２等によって傷付けられるのを防止するようになっている。
なお、図示を省略しているが、関節駒４１と外被４２との間には網状をなすブレードが設けられている。
【００２５】
次に、ノズル取付部５について説明すると、ノズル取付部５は保持筒５１を有している。この保持筒５１の基端部が外被４２に嵌合固定されることにより、取付部５が湾曲部４に連結されている。また、保持筒５１の基端部には連結筒部５１ａが形成されている。この連結筒部５１ａには、導通管１０が嵌合固定されている。
【００２６】
また、保持筒５１の内部には、一対の保持駒５２，５２が挿脱自在に挿入され、ナット５３によって固定されている。そして、一対の保持駒５２，５２によってノズル部６３が保持されている。すなわち、図６に示すように、保持駒５２は、略半円のリング状をなしており、その内周面の中央部には、突出部５２ａが形成されている。一方、ノズル部６３の外周面には、凹部６３ｂ，６３ｂが形成されている。そして、保持駒５２，５２の内周面にノズル部６３の外周面を嵌合させるとともに、保持駒５２，５２の突出部５２ａ，５２ａをノズル部６３の凹部６３ｂ，６３ｂに嵌め込むことによってノズル部６３が保持駒５２によって保持されている。勿論、ナット５３を締め付けることにより、一対の保持駒５２，５２が保持筒５１に固定され、ノズル部６３が保持筒５１に固定される。
【００２７】
次に、カートリッジ６について説明すると、図２および図８に示すように、カートリッジ本体６１の収納孔２１に嵌合される外周面には、断面略三角形状の環状溝６１ａが形成されており、スプレー本体２に螺合された取付ボルト１４の先端部が環状溝６１ａに嵌まり込むことによってカートリッジ本体６１がスプレー本体６１に固定されている。
【００２８】
また、接着剤供給管６２は、図８、図９および図１１に示すように、両端の金属管部６２ａ，６２ｂと、接着剤供給管６２の大部分を占める中間の柔軟な樹脂管部６２ｃとから構成されている。金属管部６２ａの一端部は、接着剤供給口６５ａに筒体１５を介して固定されている。金属管部６２ａの他端部は、カートリッジ本体６２の先端部を貫通して外部に突出しており、そこには樹脂管部６２ｃが嵌合固定されている。
【００２９】
カートリッジ本体６１とノズル部６３との間の接着材供給管６２には、補強材１６が添えられている。補強材１６としてここでは鋼線が用いられているが、樹脂管部６２ｃより強度が高く、かつ湾曲部４の湾曲操作を阻害しない程度の柔軟性を有するものであれば他のものを用いてもよい。
【００３０】
図９および図１０に示すように、補強材１６は、カートリッジ本体６１近傍においては、金属管部６２ａ，６２ａの間にそれらと若干の間隔をもって配置されており、二つの金属管６２ａと補強材１６とは、それらを囲む硬質の樹脂１７によって一体化されている。これにより、金属管部６２ａの強度を向上させ、これが曲がったりあるいは破断するのを防止している。
【００３１】
図１１に示すように、導通管１０内およびその近傍においては、樹脂管部６２ｃ，６２ｃおよび補強材１６が互いに接触して全体として断面三角形状になるように配置されている。そして、これら三者は外被１８によって被覆されている。この外被１８は、熱収縮性の樹脂チューブからなるものであり、熱収縮することによって樹脂管部６２ｃ，６２ｃと補強材１６とを一体化し、樹脂管部６２ｃの強度を向上させている。このようにして樹脂管部６２ｃを補強すると、ノズル部６３および接着剤供給管６２をスプレー本体２および導通管１０に容易に挿通することができる。
なお、外被１８は、図９、図１０および図１２に示すように、金属管部６２ａおよび補強材１６が樹脂１７によって一体化された部分、並びに樹脂管部６２ｃと金属管部６２ｂとの連結部をも被覆している。
【００３２】
上記金属管部６２ｂは、ノズル部６３のノズル孔６３ａに嵌合固定されている。すなわち、図７に示すように、ノズル部６３の基端側の端面には大径孔６３ｃ，６３ｃが互いに平行にかつ側部どうしを交差させて形成され、先端側の端面には大径孔６３ｃと同径かつ同芯の凹部６３ｄ，６３ｄが形成されている。これら大径孔６３ｃと凹部６３ｄとの間には、大径孔６３ｃと同芯のノズル孔６３ａが形成されている。各ノズル孔６３ａには、金属管部６２ｂが嵌合固定されている。金属管部６２ｂの先端部は、ノズル部６３の先端面から若干突出しており、その先端開口部は小径にすぼめられている。これによって、接着剤を勢いよく吐出することができるようになっている。
【００３３】
上記ノズル孔６３ａの周囲には、ノズル孔６３ａと平行に延びる噴射孔６３ｅが三つ周方向に等間隔をもって配置されている。噴射孔６３ｅは、大径孔６３ｃの底面に開口するとともに、凹部６３ｄの底面に開口している。したがって、導通管１０を介して圧送された加圧ガスは噴射孔６３ｅから噴射される。そして、噴射孔６３ｅから噴射された加圧ガスにより、金属管部６２ｂから吐出された接着剤が微粒化されるとともに所望の箇所に吹き付けられる。しかも、三つの噴射孔６３ｅは、側部がノズル孔６３ａの内周面と連通している。したがって、加圧ガスは金属管部６２ｂと接した状態で噴射されることになり、これによって接着剤の微粒化が促進される。
【００３４】
なお、この発明は、上記の実施例に限定されるものでなく、適宜設計変更可能である。
例えば、上記の実施例においては、導通管部１０を設置しているが、これは必ずしも必要ではない。導通管部１０を設置しない場合には、接着剤供給管６２およびノズル部６３を収納孔２１および挿入部３の内部に直接挿通することになる。また、加圧ガスは、収納孔２１、挿入部３および湾曲部４の内部を通してノズル部６３の噴射孔６３ｅに圧送される。したがって、その場合には挿入部および湾曲部４を気密に形成する。
また、上記の実施例においては、接着剤供給管６２の金属管部６２ｂの先端部をノズル孔から突出させ、金属管部６２ｂから接着剤を吐出させているが、金属管部６２ｂをノズル孔６３ａの中途部まで挿入し、ノズル孔６３ａから接着剤を吐出させるようにしてもよい。
【００３５】
【発明の効果】
以上説明したように、請求項１に係る発明によれば、カートリッジが交換可能であるので、ノズル孔が接着剤によって塞がれたような場合には、カートリッジだけを交換すればよく、したがってランニングコストを安価に抑えることができ、また省資源を達成することができる。
請求項２に係る発明によれば、接着剤を微粒化して生体の所望の箇所に確実に吹き付けることができる。
請求項３に係る発明によれば、導通管内を通して加圧ガスを供給するようにしているので、加圧ガスの漏れを防止することができる。
請求項４に係る発明によれば、ノズル部および接着剤供給管をノズル取付部まで容易に挿通し、かつ取り出すことができる。
請求項５または請求項６に係る発明によれば、ノズル孔を所望の方向に向けることができるので、接着剤を生体の所望の箇所に確実にかつ容易に吹き付けることができる。
請求項７に係る発明によれば、ノズル部および接着剤供給管をノズル取付部までより一層容易に挿通することができる。
請求項８に係る発明によれば、ノズル部および接着剤供給管をノズル取付部までさらに容易に挿通することができる。
【図面の簡単な説明】
【図１】この発明に係る生体接着剤用スプレーの一実施例の概略構成を示す断面図である。
【図２】同実施例のスプレー本体の基端側の部分を拡大して示す断面図である。
【図３】同実施例のスプレー本体の先端側の部分を拡大して示す断面図であって、図２に対して９０°異なる断面における断面図である。
【図４】挿入部の先端部と湾曲部の基端部とを示す拡大断面図である。
【図５】湾曲部およびノズル取付部を示す拡大断面図である。
【図６】図５のＸ−Ｘ拡大断面図である。
【図７】ノズル部を示す図であって、図７（Ａ）はその断面図、図７（Ｂ）、（Ｃ）はそれぞれ図７（Ａ）のＢ矢視、Ｃ矢視図、図７（Ｄ）は図７（Ｂ）のＤ−Ｄ断面図である。
【図８】カートリッジの一部を省略して示す断面図である。
【図９】図８のＰ部分の拡大図である。
【図１０】図９のＹ−Ｙ拡大断面図である。
【図１１】図９のＺ−Ｚ拡大断面図である。
【図１２】図８のＱ部分の拡大図である。
【符号の説明】
１  生体接着剤用スプレー
２  スプレー本体
３  挿入部
４  湾曲部
５  ノズル取付部
６  カートリッジ
７  操作部
１０  導通管
１２ａ  加圧ガス供給口
１６  補強材
１８  外被
６１  カートリッジ本体
６２  接着剤供給管
６３  ノズル部
６３ａ  ノズル孔
６３ｅ  噴射孔
６５ａ  接着剤供給口
７２  操作ワイヤ
【図１】
0003564200.tif 000002
【図２】
0003564200.tif 000003
【図３】
0003564200.tif 000004
【図４】
0003564200.tif 000005
【図５】
0003564200.tif 000006
【図６】
0003564200.tif 000007
【図７】
0003564200.tif 000008
【図８】
0003564200.tif 000009
【図９】
0003564200.tif 000010
【図１０】
0003564200.tif 000011
【図１１】
0003564200.tif 000012
【図１２】
0003564200.tif 000013